(57)【特許請求の範囲】
【請求項１】
本体とロック体とを備えており、
本体は、紐状体を通し抜けさせる内部空間と、本体の側部においてこの内部空間に連通するように形成された連通穴とを備えており、
ロック体は、弾性変形可能に構成された操作頭部と、紐状体を通し抜けさせる通し穴を備えると共に本体の連通穴を通じて本体の内部空間内に入れ込まれた脚部とを備えており、
ロック体の操作頭部を本体の側部に押し付け操作してこの操作頭部を弾性変形させた脚部の押し込み状態において、このように押し込まれた脚部の通し穴を通じて本体に紐状体を通し抜けさせるようにしてあると共に、
操作頭部の弾性復帰により移動されるロック体の脚部によって本体の内部空間内において紐状体にこの脚部の通し穴の穴縁部を食い付かせるようにしてあり、
さらに、本体の側部のうちロック体の操作頭部に向き合った部分に、この操作頭部が納まる大きさの本体の内部空間側に窪んだ凹部が形成されていることを特徴とする紐状体の留め具。
【請求項２】
ロック体の操作頭部が、この操作頭部と脚部との連接位置を挟んだ両側に形成された一対の弾性片によって構成されていることを特徴とする請求項１に記載の紐状体の留め具。
【請求項３】
本体の連通穴における紐状体の通し抜け方向に交叉する向きにある向き合った穴縁部間の間隔が、この通し抜け方向にあるロック体の脚部の厚さ寸法よりも大きくなるようにしてあることを特徴とする請求項１又は請求項２に記載の紐状体の留め具。
【請求項４】
本体における連通穴の下方にある内壁部に、この連通穴からのロック体の脚部の入れ込みに伴って、この脚部に形成された掛合部に対し、この脚部側及び内壁部側の双方又はいずれか一方の弾性変形後の弾発によって掛合される被掛合部が形成してあることを特徴とする請求項１、請求項２又は請求項３に記載の紐状体の留め具。
【発明の詳細な説明】
【０００１】
【発明の属する技術分野】
この発明は、各種の紐状体を通し抜けさせると共に、通し抜けさせた紐状体に対し適宜の位置で留め付き、また、この留め付き状態を必要に応じて解除可能とする留め具の改良に関する。
【０００２】
【従来の技術】
衣服などの絞り紐などに留め付けられて用いられる留め具（コードロックなどと称される。）として、本願出願人開示の公開特許公報所載の特開平１１−３４２００９にかかる紐の留め具がある。
【０００３】
【発明が解決しようとする課題】
しかるに、かかる従来の留め具は、紐の通し穴を備えた雌雄部材と、この雌雄部材をそれぞれの紐の通し穴を連通させ合わせない向きに付勢する圧縮コイルスプリングとから構成されているため、前記紐の通し穴を通じて留め具を通し抜けさせられる紐の長さ方向に直交する向きでの留め具の寸法を小さくすることには一定の限界を有していた。
【０００４】
また、留め具の構成のため、少なくとも、三点のパーツを必要とするものであった。
【０００５】
そこでこの発明は、この種の留め具における留め付けられる紐状体の長さ方向に直交する向きでの寸法をできる限り小さくできるようにすると共に、この種の留め具の構成部品をできる限り減少させることを主たる目的とする。
【０００６】
【課題を解決するための手段】
前記目的を達成するために、請求項１記載の発明にあっては、留め具が以下の（１）〜（６）の構成を備えたものとした。
（１）本体とロック体とを備えており、
（２）本体は、紐状体を通し抜けさせる内部空間と、本体の側部においてこの内部空間に連通するように形成された連通穴とを備えており、
（３）ロック体は、弾性変形可能に構成された操作頭部と、紐状体を通し抜けさせる通し穴を備えると共に本体の連通穴を通じて本体の内部空間内に入れ込まれた脚部とを備えており、
（４）ロック体の操作頭部を本体の側部に押し付け操作してこの操作頭部を弾性変形させた脚部の押し込み状態において、このように押し込まれた脚部の通し穴を通じて本体に紐状体を通し抜けさせるようにしてあると共に、
（５）操作頭部の弾性復帰により移動されるロック体の脚部によって本体の内部空間内において紐状体にこの脚部の通し穴の穴縁部を食い付かせるようにしてあり、
（６）さらに、本体の側部のうちロック体の操作頭部に向き合った部分に、この操作頭部が納まる大きさの本体の内部空間側に窪んだ凹部が形成されている。
【０００７】
かかる構成によれば、（１）前記操作頭部を押し付け操作してこの操作頭部を弾性変形させた状態において、ロック体の脚部の通し穴を通じて本体に紐状体を通し抜けさせることができると共に、この状態において紐状体の所望の位置まで紐状体に沿って留め具を移動させることができる。
（２）また、このように紐状体の所望の位置まで紐状体に沿って留め具を移動させた後、操作頭部の押し付けを解くことにより、操作頭部を完全ではないが弾性復帰させ、この弾性復帰によって本体の連通穴から抜き出される方向に移動されるロック体の脚部によって本体の内部空間内において紐状体にこの脚部の通し穴の穴縁部を食い付かせ、この所望の移動位置において紐状体に留め具を留め付けることができる。
（３）また、このように紐状体の所望の位置に留め具を留め付けさせた状態から、操作頭部を再び押し付け操作して当該操作頭部を弾性変形させることにより、本体の内部空間の奥側にロック体の脚部を移動させてこの脚部の通し穴の穴縁部が紐状体に食い付かされた状態を解くことができ、これにより紐状体に対する留め具の留め付け状態を解いて再び紐状体に沿って所望の位置まで留め具を移動させることができる。
（４）また、本体の内部にロック体を弾発させる手段を設ける必要がないことから、紐状体の長さ方向に直交する向きでの本体の寸法、さらには、この向きでの留め具の寸法を支障なくできるだけ小さくすることができる。特に、本体を紐状体の長さ方向に沿って長く、紐状体の長さ方向に直交する向きではできるだけ短寸の目立たない形状を持つものとして構成することができる。また、ロック体の操作頭部の押し付け方向の留め具の寸法をできる限り小さくできることから、この押し付け操作にあたって留め具を把持し易い。
（５）また、ロック体の操作頭部を紐状体の長さ方向に沿って長く構成して、この操作頭部が十分な弾性復帰力を有するようにすることが無理なくできる。また、ロック体の押し付け操作にあたっての操作面を紐状体の長さ方向に沿ってできるだけ大きく確保することができる。さらに、操作頭部自体が紐状体に脚部の通し穴の穴縁部を食い付かせるためのバネの役割を果たしていることから、合理的な構造である上に、この食い付きの解除を操作頭部の押し付け操作によって押し付け力の全てを無駄なく操作頭部に作用させてなすことができる。
（６）また、紐状体の長さ方向に直交する向きでの留め具の寸法をより小さくすることができる。
【０００８】
また、請求項２記載の発明にあっては、請求項１記載の紐状体の留め具におけるロック体の操作頭部が、この操作頭部と脚部との連接位置を挟んだ両側に形成された一対の弾性片によって構成されていることを特徴としている。
【０００９】
かかる構成によれば、操作頭部の押し付け操作による脚部の移動及びこの押し付け操作の解除による脚部の移動をいずれも安定的に行わせることができる。
【００１２】
また、請求項３記載の発明にあっては、請求項１又は請求項２に記載の紐状体の留め具における本体の連通穴における紐状体の通し抜け方向に交叉する向きにある向き合った穴縁部間の間隔が、この通し抜け方向にあるロック体の脚部の厚さ寸法よりも大きくなるようにしてあることを特徴としている。
【００１３】
かかる構成によれば、留め具の紐状体への留め付け状態において、紐状体をできるだけ大きく屈曲させることができると共に、このように屈曲された紐状体の屈曲部の一部を本体の内側から連通穴に入り込ませこの連通穴の穴縁部に押し当てさせることができ、これにより、紐状体への留め付け力をより強く確保させることができる。
【００１４】
また、請求項４記載の発明にあっては、請求項１、請求項２又は請求項３に記載の紐状体の留め具がさらに、本体における連通穴の下方にある内壁部に、この連通穴からのロック体の脚部の入れ込みに伴って、この脚部に形成された掛合部に対し、この脚部側及び内壁部側の双方又はいずれか一方の弾性変形後の弾発によって掛合される被掛合部が形成してあることを特徴としている。
【００１５】
かかる構成によれば、本体の連通穴に対しロック体の脚部を入れ込むことに伴って、本体の被掛合部にロック体の掛合部を掛合させることができ、この掛合によりこの掛合位置を越えて本体の連通穴からロック体の脚部が再び抜け出さないようにして、本体とロック体とをワンタッチでアッセンブリーすることができる。
【００１６】
【発明の実施の形態】
以下、図１ないし図１７に基づいて、この発明の典型的な実施の形態について説明する。
【００１７】
なお、ここで図１は、この実施の形態にかかる紐状体Ｗの留め具Ｒの使用状態を斜視の状態として示している。また、図２は、かかる留め具Ｒを構成するロック体２と本体１とを分離した状態として示している。また、図３は、ロック体２の操作頭部２０を押し付け操作した状態を、また、図４は、この押し付け操作を解いて紐状体Ｗに留め具Ｒを留め付けた状態を、それぞれ断面の状態として示している。
【００１８】
また、図５ないし図７は、留め具Ｒをそれぞれ表しており、また、図８ないし図１２は、本体１をそれぞれ表しており、また、図１３ないし図１７は、ロック体２をそれぞれ表している。
【００１９】
この実施の形態にかかる紐状体Ｗの留め具Ｒは、各種の紐状体Ｗを通し抜けさせると共に、通し抜けさせた紐状体Ｗに対し適宜の位置で留め付き、また、この留め付き状態を必要に応じて解除可能とするものである。
【００２０】
紐状体Ｗとしては、典型的には、衣服や袋物の開放部を巡るように設けられた絞り紐や、これらに用いられる引き締め紐などを予定するものである。
【００２１】
衣服の開放部を巡るように設けられた絞り紐を例にとれば、典型的には、この絞り紐における衣服の開放部からの引き出し部にそれぞれ留め具Ｒを留め付けさせるようにして用いられる。この絞り紐に対する留め具Ｒの留め付け位置を変えることにより、衣服の開放部を巡る絞り紐の長さを変えることができ、これによって衣服の開放部を絞り、あるいは、広げることができる。
【００２２】
かかる留め具Ｒは、本体１とロック体２とを組み合わせることによって構成されている。
【００２３】
本体１は、
（１）紐状体Ｗを通し抜けさせる内部空間１０と、
（２）本体１の側部１２においてこの内部空間１０に連通するように形成された連通穴１１とを備えている。
【００２４】
具体的には、この実施の形態にあっては、本体１は、通し抜けさせられる紐状体Ｗの長さ方向に沿うように細長く構成された筒状体として構成されている。
【００２５】
かかる本体１は、その長さ方向に直交する向きの断面において、外郭形状をほぼ方形をなすように構成されており、前記側部１２はその長さ方向に沿った四つの外面部１３、１３…を有している。
【００２６】
また、かかる本体１は、その長さ方向に直交する向きの断面において、内郭形状をほぼ円形とするように構成されており、その一端面１４から他端面１４に向けてこの両端面１４、１４において外方に開放された丸穴を貫通状態に備えている。そして、本体１は、この丸穴によって、前記内部空間１０を備えるようになっている。
【００２７】
すなわち、かかる本体１における一端面１４に開放された前記丸穴の穴口から紐状体Ｗの端末を入れ込み、この端末をこの本体１における他端面１４に開放された前記丸穴の穴口から抜き出させることによって、本体１の内部空間１０を紐状体Ｗに通し抜けさせることができるようになっている。
【００２８】
また、この実施の形態にあっては、前記連通穴１１は、本体１の長さ方向に沿った四つの外面部１３、１３…のうちの一つにおいて外方に開放するように構成されている。また、この連通穴１１は、本体１の長さ方向ほぼ中程の位置に形成されている。
【００２９】
一方、ロック体２は、
（１）弾性変形可能に構成された操作頭部２０と、
（２）紐状体Ｗを通し抜けさせる通し穴２１ａを備えると共に本体１の連通穴１１を通じて本体１の内部空間１０内に入れ込まれた脚部２１とを備えている。
【００３０】
具体的には、この実施の形態にあっては、かかるロック体２の操作頭部２０は、前記紐状体Ｗの本体１への通し抜け方向（つまり、本体１の長さ方向）に細長い板状をなすように構成されている。
【００３１】
また、前記脚部２１は、前記操作頭部２０の一面側から、この操作頭部２０の一面にほぼ直交する向きに突き出す板状片として構成されている。
【００３２】
この脚部２１は、この実施の形態にあっては、前記操作頭部２０の長さ方向ほぼ中程の位置から突き出すように構成されている。また、この脚部２１は、操作頭部２０の幅寸法とほぼ同じ幅寸法を持つように構成されている。また、この脚部２１は、幅広の両面２１ｂ、２１ｂを持つように構成されていると共に、この幅広の両面２１ｂ、２１ｂを前記本体１の幅方向に沿わせるようにして前記連通穴１１を通じて本体１の内部空間１０内に入れ込まれる構成となっている。
【００３３】
そして、このように構成される脚部２１に、前記紐状体Ｗを通し抜けさせる通し穴２１ａが形成してある。この実施の形態にあっては、かかる通し穴２１ａは、脚部２１の突き出し側にある穴縁部２１ａ’を弧状に湾曲させると共に、この湾曲させた穴縁部２１ａ’を紐状体Ｗに食い付かせる穴縁部２１ａ’とするように構成されている。
【００３４】
また、この実施の形態にあっては、前記操作頭部２０は、前記脚部２１の突き出し側を湾曲内側とするように弧状にされている。すなわち、かかる操作頭部２０は、その両面をそれぞれ湾曲面とするように構成されている。そして、かかる操作頭部２０は、前記のように湾曲された両面の湾曲を解く向きに、前記脚部２１の突き出し位置を挟んだ両側をそれぞれ弾性変形させることができるように構成されている。
【００３５】
すなわち、この実施の形態にあっては、ロック体２の操作頭部２０が、この操作頭部２０と脚部２１との連接位置を挟んだ両側に形成された一対の弾性片２０ａ、２０ａによって構成されている。
【００３６】
そして、この実施の形態にあっては、第一に、このように湾曲されたロック体２の操作頭部２０によって、この操作頭部２０を弾性変形させない状態においては、本体１の連通穴１１を通じて本体１の内部空間１０に入れ込まされた脚部２１の通し穴２１ａが本体１の内部空間１０に通される紐状体Ｗをこの通し穴２１ａを通り抜けさせるようにこの内部空間１０に連通しないようにしてある。（図６）すなわち、湾曲状態で両端部を本体１の側部１２に接しさせる操作頭部２０によって、ロック体２の脚部２１はその突き出し端側を前記連通穴１１を通じて本体１の内部空間１０内に入れ込ませてはいるが、前記通し穴２１ａの形成部分をこの内部空間１０内に入れ込ませない状態で支持されるようにしてある。
【００３７】
また、第二に、ロック体２の操作頭部２０を本体１の側部１２に押し付け操作してこの操作頭部２０を弾性変形させた脚部２１の押し込み状態において、このように押し込まれた脚部２１の通し穴２１ａを通じて本体１に紐状体Ｗを通し抜けさせるようにしてある。（図３）すなわち、この押し付け操作によって湾曲を解く向きに操作頭部２０を弾性変形させることによって、ロック体２の脚部２１における前記通し穴２１ａの形成部分が本体１の内部空間１０内に入れ込まされる構成としてある。
【００３８】
そして、第三に、前記押し付けによって弾性変形された操作頭部２０のこの押し付けを解くことによって、この操作頭部２０が弾性復帰し、この操作頭部２０の弾性復帰により移動されるロック体２の脚部２１によって本体１の内部空間１０内において紐状体Ｗにこの脚部２１の通し穴２１ａの穴縁部２１ａ’を食い付かせるようにしてある。（図４）
【００３９】
すなわち、この実施の形態にかかる留め具Ｒによれば、
（１）前記操作頭部２０を押し付け操作してこの操作頭部２０を弾性変形させた状態において、ロック体２の脚部２１の通し穴２１ａを通じて本体１に紐状体Ｗを通し抜けさせることができると共に、この状態において紐状体Ｗの所望の位置まで紐状体Ｗに沿って留め具Ｒを移動させることができる。
（２）また、このように紐状体Ｗの所望の位置まで紐状体Ｗに沿って留め具Ｒを移動させた後、操作頭部２０の押し付けを解くことにより、操作頭部２０を完全ではないが弾性復帰させ、この弾性復帰によって本体１の連通穴１１から抜き出される方向に移動されるロック体２の脚部２１によって本体１の内部空間１０内において紐状体Ｗにこの脚部２１の通し穴２１ａの穴縁部２１ａ’を食い付かせ、この所望の移動位置において紐状体Ｗに留め具Ｒを留め付けることができる。
（３）また、このように紐状体Ｗの所望の位置に留め具Ｒを留め付けさせた状態から、操作頭部２０を再び押し付け操作して当該操作頭部２０を弾性変形させることにより、本体１の内部空間１０の奥側にロック体２の脚部２１を移動させてこの脚部２１の通し穴２１ａの穴縁部２１ａ’が紐状体Ｗに食い付かされた状態を解くことができ、これにより紐状体Ｗに対する留め具Ｒの留め付け状態を解いて再び紐状体Ｗに沿って所望の位置まで留め具Ｒを移動させることができる。
（４）また、本体１の内部にロック体２を弾発させる手段を設ける必要がないことから、紐状体Ｗの長さ方向に直交する向きでの本体１の寸法、さらには、この向きでの留め具Ｒの寸法を支障なくできるだけ小さくすることができる。特に、本体１を紐状体Ｗの長さ方向に沿って長く、紐状体Ｗの長さ方向に直交する向きではできるだけ短寸の目立たない形状を持つものとして構成することができる。また、ロック体２の操作頭部２０の押し付け方向の留め具Ｒの寸法をできる限り小さくできることから、この押し付け操作にあたって留め具Ｒを把持し易い。
（５）また、ロック体２の操作頭部２０を紐状体Ｗの長さ方向に沿って長く構成して、この操作頭部２０が十分な弾性復帰力を有するようにすることが無理なくできる。また、ロック体２の押し付け操作にあたっての操作面を紐状体Ｗの長さ方向に沿ってできるだけ大きく確保することができる。さらに、操作頭部２０自体が紐状体Ｗに脚部２１の通し穴２１ａの穴縁部２１ａ’を食い付かせるためのバネの役割を果たしていることから、合理的な構造である上に、この食い付きの解除を操作頭部２０の押し付け操作によって押し付け力の全てを無駄なく操作頭部２０に作用させてなすことができる。
【００４０】
また、この実施の形態にあっては、操作頭部２０を、前記脚部２１の突き出し位置を挟んだ両側をそれぞれ前記押し付け操作によって弾性変形させる一対の弾性片２０ａ、２０ａによって構成してあることから、この押し付け操作による脚部２１の移動及びこの押し付け操作の解除による脚部２１の移動をいずれも安定的に行わせることができる。
【００４１】
もっとも、この実施の形態とは異なり、操作頭部２０を、脚部２１との連接位置から側方に向けて突き出す一つの弾性変形可能な弾性片２０ａにより構成しておくこともできる。
【００４２】
また、この実施の形態にあっては、本体１の側部１２のうちロック体２の操作頭部２０に向き合った部分に、本体１の内部空間１０側に窪んだ凹部１５が形成されている。
【００４３】
具体的には、この実施の形態にあっては、本体１の側部１２を構成する四つの外面部１３、１３…のうち、前記連通穴１１の形成されている外面部１３に、本体１の長さ方向に沿って長く延びる溝状をなす凹部１５が形成されている。この凹部１５は、前記連通穴１１の形成されている箇所を最も深くするように形成されており、この連通穴１１を挟んだ両側の凹部１５の底面１５ａをそれぞれ、本体１の端部からこの連通穴１１に向かうに連れて次第に低まる傾斜面１５ｂとするようにしてある。
【００４４】
そして、この実施の形態にあっては、前記ロック体２の操作頭部２０が、この凹部１５の幅内に納まる幅寸法を有し、操作頭部２０をこの凹部１５内に納めた状態で、前記連通穴１１を通じて前記脚部２１を本体１の内部空間１０内に入れ込ませた構成としてある。
【００４５】
より具体的には、操作頭部２０を本体１に押し付け操作しない状態においては、操作頭部２０を構成する一対の弾性片２０ａ、２０ａの先端部２０ａ’を凹部１５の底面１５ａに接しさせると共に、前記傾斜面１５ｂによって、この先端部２０ａ’から操作頭部２０における脚部２１の連接位置に向かうに連れて操作頭部２０と凹部１５の底面１５ａとの間の間隔が広がっていくような状態で、前記凹部１５に操作頭部２０が納められている。そして、操作頭部２０は、前記凹部１５の底面１５ａに操作頭部２０の脚部２１の突き出し側の面を密着させる位置まで、本体１側に向けてこの操作頭部２０を弾性変形させながらの押し付け操作ができるようにしてある。
【００４６】
この結果、この実施の形態にあっては、紐状体Ｗの長さ方向に直交する向きでの留め具Ｒの寸法をより小さくすることが可能とされている。
【００４７】
また、この実施の形態にあっては、本体１の連通穴１１における紐状体Ｗの通し抜け方向に交叉する向きにある向き合った穴縁部１１ｃ、１１ｃ間の間隔が、この通し抜け方向にあるロック体２の脚部２１の厚さ寸法よりも大きくなるようにしてある。
【００４８】
具体的には、この実施の形態にあっては、本体１の連通穴１１は、
（１）ロック体２の脚部２１の幅寸法よりもやや幅広をなす中央穴部１１ａと、
（２）この中央穴部１１ａの両側に、ロック体２の脚部２１の幅寸法よりもやや幅狭の側穴部１１ｂをそれぞれ備えている。
（３）そして、この中央穴部１１ａと側穴部１１ｂの寸法差によって、連通穴１１における本体１の長さ方向にある両穴壁部にそれぞれ、前記脚部２１の突き出し方向にある側縁部２１ｃを納める第一の溝１１ｄが形成されている。
【００４９】
そして、このように連通穴１１の中央穴部１１ａにおいて連通穴１１に入れ込まされたロック体２の脚部２１の一方の面２１ｂとこの一方の面２１ｂに向き合った側穴部１１ｂにおける紐状体Ｗの通し抜け方向に交叉する向きにある穴縁部１１ｃとの間、および、ロック体２の脚部２１の他方の面２１ｂとこの他方の面２１ｂに向き合った側穴部１１ｂにおける紐状体Ｗの通し抜け方向に交叉する向きにある穴縁部１１ｃとの間に、ロック体２の脚部２１の通し穴２１ａに紐状体Ｗを通し抜けさせた後の操作頭部２０の弾性復帰によって屈曲された紐状体Ｗの屈曲外側にある紐状体Ｗの一部が本体１の内側から入り込むようにしてある。（図４）
【００５０】
この結果、この実施の形態にあっては、留め具Ｒの紐状体Ｗへの留め付け状態において、紐状体Ｗをできるだけ大きく屈曲させることができると共に、このように屈曲された紐状体Ｗの屈曲部の一部を本体１の内側から連通穴１１に入り込ませてこの連通穴１１の穴縁部１１ｃに押し当てさせることができ、これにより、紐状体Ｗへの留め付け力をより強く確保させることができる。
【００５１】
また、前記連通穴１１に紐状体Ｗの屈曲部が本体１の内部から入り込む分、この紐状体Ｗへの留め付け状態におけるロック体２の脚部２１の本体１の外方に向けた移動寸法を大きく確保することができ、これにより、この留め付け状態におけるロック体２の操作頭部２０の弾性変形量を減少させることができる。この結果、操作頭部２０の経時的な疲労、すなわち、前記留め付け状態において操作頭部２０が大きく弾性変形されたままの状態におかれることに伴う操作頭部２０の弾性変形力の減少をできるだけ防止することができる。
【００５２】
また、この実施の形態にあっては、本体１における連通穴１１の下方にある内壁部に、この連通穴１１からのロック体２の脚部２１の入れ込みに伴って、この脚部２１に形成された掛合部２１ｄに対し、この脚部２１側及び内壁部側の双方又はいずれか一方の弾性変形後の弾発によって掛合される被掛合部１６が形成してある。
【００５３】
具体的には、この実施の形態にあっては、本体１における前記連通穴１１が形成された外面部１３に対向する外面部１３側から、前記連通穴１１における第一の溝１１ｄの内端に向けて延びるこの第一の溝１１ｄよりも深い第二の溝１７が形成されている。そして、この第一の溝１１ｄと第二の溝１７との深さ寸法の差分の段差面１６ａが、前記連通穴１１における本体１の内側の穴縁部に本体１の両側においてそれぞれ形成されるようにしてある。
【００５４】
また、この実施の形態にあっては、前記ロック体２の脚部２１におけるこの脚部２１の突き出し方向にある側縁部２１ｃと、この脚部２１の突き出し端縁部との接し合う二つの隅部にそれぞれ、側方に向けて突き出す掛合突部２１ｅが形成されている。
【００５５】
このロック体２の脚部２１における一対の掛合突部２１ｅ、２１ｅの突き出し端２１ｆ間の寸法は、一対の第一の溝１１ｄ、１１ｄの溝底間の間隔、つまり、連通穴１１の中央穴部１１ａの本体１の幅方向における穴幅よりもやや大きくなるように構成してあると共に、一対の第二の溝１７、１７の溝底間の間隔よりもやや小さくなるように構成してある。
【００５６】
また、この一対の掛合突部２１ｅ、２１ｅはそれぞれ、その突き出し端２１ｆを挟んだ下方に、この突き出し端２１ｆに向かうに連れて次第に掛合突部２１ｅの上下方向の肉厚寸法を小さくする向きに傾斜した傾斜面２１ｇを備えると共に、その突き出し端２１ｆを挟んだ上方に、前記段差面１６ａに対する掛合面２１ｈを有している。
【００５７】
また、脚部２１における一対の掛合突部２１ｅ、２１ｅの側方には、脚部２１の突き出し端において下方に開放されて上方に向けて延びる割溝２１ｉがそれぞれ形成されており、この割溝２１ｉによって脚部２１の両側がそれぞれ弾性変形可能となるようにしてある。
【００５８】
これにより、この実施の形態にあっては、
（１）先ず、本体１の連通穴１１にロック体２の脚部２１を入れ込むことに伴って、第一の溝１１ｄの溝底に掛合突部２１ｅを突き当てさせて、この掛合突部２１ｅの設けられている脚部２１の側部をそれぞれ内向きに弾性変形させることができる。この弾性変形は、前記突部の傾斜面２１ｇにより徐々になされるものとされ、連通穴１１へのロック体２の脚部２１の入れ込みを比較的スムースになすことができる。
（２）次いで、本体１の連通穴１１に対し、第一の溝１１ｄの内端を掛合突部２１ｅの突き出し端２１ｆが越える位置までロック体２の脚部２１を入れ込ませると、一旦弾性変形されていた脚部２１の側部が弾性復帰され、掛合突部２１ｅの掛合面２１ｈが前記段差面１６ａに掛合し得る状態となり、両面２１ｈ、１６ａが掛合する位置から先に再びロック体２の脚部２１が抜け出すことがないようにすることができる。
【００５９】
すなわち、この実施の形態にあっては、本体１の連通穴１１に対しロック体２の脚部２１を入れ込むことに伴って、本体１の被掛合部１６（この実施の形態にあっては前記段差面１６ａ）にロック体２の掛合部２１ｄ（この実施の形態にあっては前記掛合突部２１ｅ）を掛合させることができ、この掛合によりこの掛合位置を越えて本体１の連通穴１１からロック体２の脚部２１が再び抜け出さないようにして、本体１とロック体２とをワンタッチでアッセンブリーすることができる。
【００６０】
このように本体１に組み付けられるロック体２は、前記第二の溝１７の形成範囲内において、前記操作頭部２０の押し込みによって本体１の内方に向けて移動され、また、このように押し込まれた操作頭部２０の弾性復帰により本体１の外方に向けて移動される。
【００６１】
なお、この実施の形態にあっては、連通穴１１の中央穴部１１ａの直下位置にある本体１の内壁部に、操作頭部２０の押し込みによってロック体２の脚部２１の突き出し端側の入り込む穴部１８が形成されており、脚部２１の移動量をできるだけ大きく確保できるようにしてある。
【００６２】
ロック体２の操作頭部２０および脚部２１に所用の弾性変形特性を付与することは、典型的には、このロック体２をプラスチック成形品とすることにより確保することができる。
【００６３】
この実施の形態にあっては、ロック体２と本体１の双方をプラスチック成形品とできるようにしてある。
【００６４】
本体１における前記段差面１６ａの直下には、第二の溝１７の溝幅とほぼ等しい幅を備えた窓穴１９が形成されており、この窓穴１９を通じて前記段差面１６ａをプラスチック成形によって形成するようにしている。
【００６５】
【発明の効果】
この発明にかかる紐状体の留め具によれば、留め付けられる紐状体の長さ方向に直交する向きでの留め具の寸法をできる限り小さくすることができると共に、留め具を本体とロック体の２パーツから支障なく構成することができる。
【図面の簡単な説明】
【図１】留め具Ｒの使用状態を示す斜視図
【図２】留め具Ｒの分離斜視図
【図３】同使用状態を示す断面図（フリー状態）
【図４】同使用状態を示す断面図（留め付け状態）
【図５】留め具Ｒの側面図
【図６】同断面図
【図７】図６の中央部分での図６と９０度断面位置を異ならせた断面図（なお、ロック体２は断面にしていない。）
【図８】本体１の平面図
【図９】同底面図
【図１０】同断面図
【図１１】図１０の左側から本体１を見て示した側面図
【図１２】図１０の中央部分での図１０と９０度断面位置を異ならせた断面図
【図１３】ロック体２の平面図
【図１４】ロック体２の底面図
【図１５】ロック体２の側面図
【図１６】図１５の左側からロック体２を見て示した側面図
【図１７】ロック体２の断面図
【符号の説明】
１  本体
１０  内部空間
１１  連通穴
１２  側部
２  ロック体
２０  操作頭部
２１  脚部
２１ａ  通し穴
２１ａ’  穴縁部
Ｒ  留め具
Ｗ  紐状体
【図１】
0004674015.tif 000002
【図２】
0004674015.tif 000003
【図３】
0004674015.tif 000004
【図４】
0004674015.tif 000005
【図５】
0004674015.tif 000006
【図６】
0004674015.tif 000007
【図７】
0004674015.tif 000008
【図８】
0004674015.tif 000009
【図９】
0004674015.tif 000010
【図１０】
0004674015.tif 000011
【図１１】
0004674015.tif 000012
【図１２】
0004674015.tif 000013
【図１３】
0004674015.tif 000014
【図１４】
0004674015.tif 000015
【図１５】
0004674015.tif 000016
【図１６】
0004674015.tif 000017
【図１７】
0004674015.tif 000018